(57)【要約】      （修正有）【課題】ゴルファーが自然に正しいゴルフスウィングに矯正されるようなクリップ、玉継手、および指針棒からなる簡単なゴルフ練習器具を提供する。【解決手段】本考案のゴルフ練習器具は、直線部と玉継手により形状を自在に変形できる継手部で構成されている。前記玉継手は、筒体と連結体から構成されている。前記筒体は、両端に球面凹部が設けられている。また、連結体は、両端に前記球面凹部に嵌合する球状凸部が設けられている。指針棒は、ゴルフクラブを振る際に、直線になっているか否かが判り易いように前記筒体に連結される。前記指針棒は、一端に球状凸部を備えており、前記筒体の球面凹部と嵌合される。クリップ体は、ゴルフを練習する際にゴルフクラブあるいは帽子等に取り付けるためのものであり、一端に挟持部を、他端に球状凸部が備えられて、前記筒体に嵌合されている。【選択図】図１
0003121391.tif 000002
【実用新案登録請求の範囲】
【請求項１】
直線部と玉継手により形状を自在に変形できる継手部とから構成されているゴルフ練習器具において、
球面凹部を両端に備えている筒体と、
前記球面凹部に嵌合する球状凸部を両端に備えている連結体と、
一端に球状凸部を備えており、前記筒体に連結する直線からなる指針棒と、
一端に挟持部を備え、他端に球状凸部を備えており、前記筒体に嵌合して連結するクリップ体と、
から構成されていることを特徴とするゴルフ練習器具。
【請求項２】
直線部と玉継手により形状を自在に変形できる継手部とから構成されているゴルフ練習器具において、
球状凸部を両端に備えている筒体と、
前記球状凸部が嵌合する球面凹部を両端に備えている連結体と、
一端に球面凹部を備えており、前記筒体に連結する直線からなる指針棒と、
一端に挟持部を備え、他端に球面凹部を備えており、前記筒体に嵌合して連結するクリップ体と、
から構成されていることを特徴とするゴルフ練習器具。
【請求項３】
それぞれの筒体および連結体の長さが同じであることを特徴とする請求項１または請求項２に記載されたゴルフ練習器具。
【請求項４】
前記筒体および連結体に長さがそれぞれ異なるものが混在していることを特徴とする請求項１または請求項２に記載されたゴルフ練習器具。
【請求項５】
前記玉継手は、前記連結体の球状凸部と前記筒体の球面凹部との結合において、形状が固定できる固さになっていることを特徴とする請求項１から請求項４のいずれか１項に記載されたゴルフ練習器具。
【考案の詳細な説明】
【技術分野】
【０００１】
本考案は、ゴルフ練習場、ゴルフ場、あるいは、広場等でゴルフスウィングの練習ができるゴルフ練習器具に関するものである。本考案は、ゴルフスウィングを繰り返すことで、自然と正しいゴルフスウィングに矯正されるゴルフ練習器具に関するものである。
【背景技術】
【０００２】
特開２００３−０３８７００号公報に記載されているリスニングスウィングマシンは、室内でスウィングができるシャフトの短いゴルフスウィング練習器にフエを取り付け、軽いスウィングでフエを高く鳴らす練習を繰り返すと、正しいスウィングをマスターできる。また、特開２００１−０００６１３号公報におけるゴルフスウィング練習器は、一方のマット台の裏面上に回動軸を突設した摺動マット台およびもう一方の基台上に咬合部を持つ凹形状のレールを有した基台とで構成し、前記摺動マット台の回動軸を基台レールに枢支させることができる。
【０００３】
特開２０００−２８８１４５号公報に記載されているゴルフスウィング練習器は、ゴルフクラブに装着して素振りを行うものであり、ゴルフスウィング軌道方向に作用するバネ状弾性体の一端には慣性質量体が取り付けてあり、他端は枠体に固定された、ゴルフクラブの固有振動数と同等でより大きな振幅となる振動手段を有し、素振り中に前記バネ状弾性体の変位によって前記慣性質量体が、前記枠体に固定された受け板に衝突する時に音を発生する位置を聴覚で確認できるようにしたものである。
【特許文献１】特開２００３−０３８７００号公報
【特許文献２】特開２００１−０００６１３号公報
【特許文献３】特開２０００−２８８１４５号公報
【考案の開示】
【考案が解決しようとする課題】
【０００４】
従来のゴルフスウィング練習器具は、正しいゴルフスウィングであるか否かを自分でチェックすることが困難であった。したがって、ゴルフスウィングは、何度も繰り返されても、理想のゴルフスウィングであるか否かが判らずゴルファーに不安感を持たせることがある。また、従来のゴルフスウィング練習器具は、構造が複雑なものが多く、安価で、かつ信頼性のあるものが少なかった。
【０００５】
以上の課題を解決するために、本考案は、ゴルファーが自然に正しいゴルフスウィングに矯正されるようなクリップ、玉継手、および指針棒からなる簡単なゴルフ練習器具を提供することを目的とする。本考案は、ゴルフクラブ、特に、パターの形状が異なっても、正しいゴルフスウィングができるゴルフ練習器具を提供することを目的とする。
【課題を解決するための手段】
【０００６】
（第１考案）
第１考案のゴルフ練習器具は、直線部と玉継手により形状を自在に変形できる継手部とから構成されており、球面凹部を両端に備えている筒体と、前記球面凹部に嵌合する球状凸部を両端に備えている連結体と、一端に球状凸部を備えており、前記筒体に連結する直線からなる指針棒と、一端に挟持部を備え、他端に球状凸部を備えており、前記筒体に嵌合して連結するクリップ体とから構成されていることを特徴とする。
【０００７】
（第２考案）
第２考案のゴルフ練習器具は、直線部と玉継手により形状を自在に変形できる継手部とから構成されており、球状凸部を両端に備えている筒体と、前記球状凸部が嵌合する球面凹部を両端に備えている連結体と、一端に球面凹部を備えており、前記筒体に連結する直線からなる指針棒と、一端に挟持部を備え、他端に球面凹部を備えており、前記筒体に嵌合して連結するクリップ体とから構成されていることを特徴とする。
【０００８】
（第３考案）
第３考案のゴルフ練習器具は、第１考案または第２考案のそれぞれの筒体および連結体の長さが同じであることを特徴とする。
【０００９】
（第４考案）
第４考案のゴルフ練習器具は、第１考案または第２考案のそれぞれの筒体および連結体の長さがそれぞれ異なるものが混在していることを特徴とする。
【００１０】
（第５考案）
第５考案のゴルフ練習器具は、第１考案から第４考案の玉継手が前記連結体の球状凸部と前記筒体の球面凹部との結合において、形状が固定できる固さになっていることを特徴とする。
【考案の効果】
【００１１】
本考案によれば、ゴルフクラブに一端を取り付けて、スウィング方向と指針棒の長手方向を一致するだけで、再現性の高い正しいフォームに矯正される安価なゴルフ練習器具である。
【００１２】
本考案によれば、指針棒、玉継手、およびクリップという簡単な構成のものをゴルフクラブに取り付け、指針棒が所定の方向に向くように、前記玉継手の部分の形状を自在に変えることができる。
【００１３】
本考案によれば、ゴルファーは、帽子に指針棒を取り付けてぶら下げ、前記指針棒とゴルフボールとを見ながら打つだけで、顎の上がり、あるいは目線がゴルフボールから早く離れることがないため、繰り返し練習を行うことにより、ゴルフスウィングが自然に、より正しいフォームに矯正される。
【００１４】
本考案によれば、ゴルフ場で、実際にゴルフを始める前、あるいは、素振りの練習のどちらにも使用することができるだけでなく、軽量で小型に折り畳めるため持ち運びが容易である。
【００１５】
本考案によれば、ゴルファーは、スウィングする際に、指針棒とゴルフボールとを同時に見ながら、テイクバックまたはフォロースルーができるため、単に頭でイメージを描きながらスウィングするものとは異なり、スウィングを繰り返すことで、正しいゴルフスウィングの矯正を速く達成できる。
【００１６】
本考案によれば、筒体の球面凹部と連結体の球状凸部との嵌合が予め所定の固さになっているので、自分のゴルフスウィングに対応させる形状にすることができるとともに、繰り返しのゴルフスウィングによっても、形状がほとんど変わることがない。
【考案を実施するための最良の形態】
【００１７】
（第１考案）
第１考案のゴルフ練習器具は、ゴルフクラブの移動方向が直線になるような指針棒を設けるとともに、前記ゴルフクラブや帽子等に付けてゴルフクラブのスウィングの際に振れないようにするためのものである。前記ゴルフ練習器具は、練習の多様化を図るために、直線部と玉継手により形状を自在に変形できる継手部で構成されている。前記玉継手は、筒体と連結体から構成されている。前記筒体は、両端に球面凹部が設けられている。また、連結体は、両端に前記球面凹部に嵌合する球状凸部が設けられている。指針棒は、ゴルフクラブを振る際に、直線になっているか否かが判り易いように前記筒体に連結される。前記指針棒は、一端に球状凸部を備えており、前記筒体の球面凹部と嵌合される。クリップ体は、ゴルフを練習する際にゴルフクラブあるいは帽子等に取り付けるためのものであり、一端に挟持部を、他端に球状凸部が備えられて、前記筒体に嵌合されている。
【００１８】
（第２考案）
第２考案のゴルフ練習器具は、筒体、連結体、指針棒、クリップに設けられている凹部と凸部とが逆になっている点でのみ異なっている。
【００１９】
（第３考案）
第３考案のゴルフ練習器具は、玉継手を構成する筒体および連結体の長さを同じにすることにより、任意の場所で曲げることができるため、形状を任意にすることができる。
【００２０】
（第４考案）
第４考案のゴルフ練習器具は、玉継手を構成する筒体および連結体の長さがそれぞれ異なっているので、任意の場所で曲げることができない場合がある。しかし、前記ゴルフ練習器具は、玉継手の数を減らすことができるため、安価な商品を提供することができる。
【００２１】
（第５考案）
第５考案のゴルフ練習器具は、前記玉継手が前記連結体の球状凸部と前記筒体の球面凹部との結合において、形状が固定できる固さになっているため、ゴルフクラブをスウィングする際に、形状が崩れることなく、イメージ通りになる。
【実施例１】
【００２２】
図１は本考案の実施例で、ゴルフ練習器具を説明するための斜視図である。図１において、ゴルフ練習器具１０は、指針棒１１と、形状を変えることができる玉継手１２と、ゴルフクラブのシャフトに取り付けるクリップ１３とから構成されている。前記指針棒１１は、たとえば、プラスチック製からなる直線状の棒体であり、一端に球状凸部を備えている。また、前記指針棒１１は、見易いように、たとえば、赤色等が塗られている。
【００２３】
前記玉継手１２は、長いまたは短いプラスチック製の棒状で、両端に球状凸部を備えた連結体１２１、１２３と、両端に球面凹部を備えた筒体１２２とからなり、前記球状凸部と前記球面凹部とが互いに嵌合されている。前記嵌合は、前記球状凸部の中心部が前記球面凹部の中に入るように、熱を加えた状態の時に行われ、冷却することにより、所定の固さで回動自在に動かすことができる。また、前記連結体１２１、１２３と筒体１２２の数および長さは、任意であり、ゴルフクラブのスウィングを容易にする程度のものである。前記クリップ１３は、一端がゴルフシャフトに取り付けることができる挟持部１３１と、他端が筒体１２２の球面凹部に嵌合される球状凸部とから構成されている。
【００２４】
図２（イ）および（ロ）は本考案の実施例で、ゴルフ練習器具をパターに取り付けた例を説明するための図である。図２（イ）において、ゴルフ練習器具１０のクリップ１３は、たとえば、パター１５のシャフト１５１の下部近傍において、挟持部１３１により挟持されている。前記ゴルフ練習器具１０の玉継手１２は、図示のごとく折り曲げられて、指針棒１１がヘッド１５２とほぼ直角となるようにするとともに、前記ヘッド１５２の少し上部の位置にセットされる。
【００２５】
図２（ロ）は、パター１５によってゴルフボール１４を打った後の状態が示されている。ゴルファーは、パター１５のヘッド１５２の動きを指針棒１１とゴルフボール１４を同時に見ながら前記指針棒１１に沿うようにスウィングする。前記ヘッド１５２は、ゴルフボールの有無にかかわらず、前記指針棒１１に沿うように意識して振られるため、ゴルフスウィングの練習、あるいは本番前の素振りに適している。
【００２６】
図３は本考案の実施例で、ゴルフ練習器具における玉継手の詳細を説明するための断面を一部含む側面図である。図３において、前記玉継手１２を構成する連結体１２３の両端、前記指針棒１１および前記クリップ１３の一端には、玉継手１２を構成する球状凸部１２３１が設けられている。また、前記玉継手１２を構成する筒体１２２は、両端に前記球状凸部１２３１の中心が入り込み、一旦、互いに嵌合された場合、抜けないような球面凹部１２２１が設けられている。前記玉継手１２は、前記球面凹部１２２１と球状凸部１２３１とで所定の固さで回動自在に取り付けられ、互いに抜け出ることがないようになっている。
【００２７】
図４（イ）および（ロ）は本考案の実施例であるゴルフ練習器具をゴルファーが使用する例を説明するための図である。図４（イ）において、ゴルファー４１は、ドライバー１５のヘッド１５２近傍のシャフトにゴルフ練習器具１０の指針棒１１をドライバー１５の前方に向けて取り付けている。前記ゴルファー４１は、ゴルフボール１４と指針棒１１を同時に見ながら、前記指針棒１１に沿ってヘッド１５２を振り抜くイメージで移動する。前記指針棒１１の方向は、ゴルフボール１４の移動方向と一致するため、正確なショットを行うためのゴルフスウィングが可能になる。
【００２８】
図４（ロ）において、ゴルファー４１は、ドライバー１５のヘッド１５２近傍のシャフトにゴルフ練習器具１０の指針棒１１をドライバー１５の後方に向けて取り付けている。前記ゴルファー４１は、ゴルフボール１４と指針棒１１を同時に見ながら、前記指針棒１１に沿ってヘッド１５２をテイクバックする。前記指針棒１１の方向は、テイクバックの移動方向と一致するため、正確なショットを行うための正しい準備ができる。
【００２９】
図５は本考案の実施例であるゴルフ練習器具をゴルファーが使用する他の例を説明するための図である。図５において、ゴルファー４１は、帽子５２の鍔にゴルフ練習器具１０を取り付けている。前記ゴルフ練習器具１０における指針棒１１は、図示されていない地面に置いてあるゴルフボールを指す方向にする。前記ゴルファー４１は、ゴルフ練習器具１０の指針棒１１を意識しながら、ゴルフボールを同時に見てゴルフスウィングを行う。前記ゴルファー４１は、指針棒１１が早く視界から消えた場合、顔が早く上がっている（ヘッドアップ）か、ゴルフボールを打ち終わるまで見ていないことになるので、ゴルフスウィングの正しい矯正を行うことができる。
【００３０】
以上、本考案の実施例を詳述したが、本考案は、前記実施例に限定されるものではなく、実用新案登録請求の範囲に記載された事項を逸脱することがなければ、種々の設計変更を行うことが可能である。本実施例に記載されているゴルフ練習器具は、連結体および筒体に設けられた球状凸部と球面凹部とを実施例と反対にしたり、あるいは大きさや形状を任意に変更することができる。また、前記ゴルフ練習器具の素材は、各種合成樹脂を採用することができる。
【図面の簡単な説明】
【００３１】
【図１】本考案の実施例で、ゴルフ練習器具を説明するための斜視図である。（実施例１）
【図２】（イ）および（ロ）は本考案の実施例で、ゴルフ練習器具をパターに取り付けた例を説明するための図である。
【図３】本考案の実施例で、ゴルフ練習器具における玉継手の詳細を説明するための断面を一部含む側面図である。
【図４】（イ）および（ロ）は本考案の実施例であるゴルフ練習器具をゴルファーが使用する例を説明するための図である。
【図５】本考案の実施例であるゴルフ練習器具をゴルファーが使用する他の例を説明するための図である。
【符号の説明】
【００３２】
１０・・・ゴルフ練習器具
１１・・・指針棒
１２・・・玉継手
１２１、１２３・・・連結体
１２２・・・筒体
１２２１・・・球面凹部
１２３１・・・球状凸部
１３・・・クリップ
１３１・・・挟持部
１３２・・・球状凸部
１４・・・ゴルフボール
１５・・・パター（ドライバー）
１５１・・・シャフト
１５２・・・ヘッド
４１・・・ゴルファー
５１・・・ゴルフクラブ
５２・・・帽子
【図１】
0003121391.tif 000003
【図２】
0003121391.tif 000004
【図３】
0003121391.tif 000005
【図４】
0003121391.tif 000006
【図５】
0003121391.tif 000007